(57)【要約】【課題】両腕、肩及び首の後ろを同時に覆うことができ、日除け効果があるだけでなく、吸汗性に優れ、装着時に使い勝手がよい日除け汗取りカバーを提供する。【解決手段】日除け汗取りカバー１は、パイル状タオル地よりなる２枚のタオル７がそれぞれのタオル長方向の一端である基端辺２ｂの一側端側どうしで縫合されて連結され、この基端辺２ｂの他側端側に非縫合部５が残されており、この２枚のタオル７のそれぞれのタオル長方向の他端である先端辺２ａから中央部４までが幅方向の側辺３どうしで縫合された筒状部１０に形成され、両筒状部１０の間が前記非縫合部５を含む平状部２０であり、この平状部２０のうち非縫合部５に臨む両部位がタオル長方向に開くことができる可開部２２となっている。この可開部２２を前襟にしたり、ずれ防止に利用したりする。【選択図】図１
2008063670.tif 000002
【特許請求の範囲】
【請求項１】
パイル状タオル地よりなる２枚のタオル（７）がそれぞれのタオル長方向の一端である基端辺（２ｂ）の一側端側どうしで縫合されて連結され、該基端辺（２ｂ）の他側端側に非縫合部（５）が残されており、
前記２枚のタオル（７）のそれぞれのタオル長方向の他端である先端辺（２ａ）から中央部（４）までが幅方向の側辺（３）どうしで縫合された筒状部（１０）に形成され、両筒状部（１０）の間が前記非縫合部（５）を含む平状部（２０）であり、該平状部（２０）のうち前記非縫合部（５）に臨む両部位がタオル長方向に開くことができる可開部（２２）となっている日除け汗取りカバー。
【請求項２】
前記両可開部（２２）を前襟として首の両脇から身体の前側に出すことができるよう、前記非縫合部（５）の長さを１５ｃｍ以上とした請求項１記載の日除け汗取りカバー。
【請求項３】
前記両可開部（２２）に、該両可開部（２２）を前襟としたときに該両可開部（２２）どうしを結合して止めるための結合部材（８）を設けた請求項２記載の日除け汗取りカバー。
【請求項４】
前記両筒状部（１０）のうち先端から手の甲に対応する部位を超えて入り込んだ手首に対応する部位に、該部位を周状に締め付けるための締付ゴム部材（６）を取り付けた請求項１〜３のいずれか一項に記載の日除け汗取りカバー。
【請求項５】
前記両筒状部（１０）のうち肘の直ぐ上又は下に対応する部位に、該部位を周状に締め付けるための締付ゴム部材（６）を取り付けた請求項１〜４のいずれか一項に記載の日除け汗取りカバー。
【請求項６】
前記両筒状部（１０）又は前記平状部（２０）に、身体を冷やすための保冷材（２４）又は身体を温めるための懐炉（２４）を着脱可能に保持するための保持部（２３）を設けた請求項１〜５のいずれか一項に記載の日除け汗取りカバー。
【請求項７】
パイル状タオル地よりなる２枚のタオル（７）をそれぞれのタオル長方向の一端である基端辺（２ｂ）の一側端側どうしで縫合して連結し、該基端辺（２ｂ）の他側端側に非縫合部（５）を残す工程と、
前記２枚のタオル（７）のそれぞれのタオル長方向の他端である先端辺（２ａ）から中央部（４）までを幅方向の側辺（３）どうしで縫合して筒状部（１０）に形成する工程とを含む日除け汗取りカバーの製造方法。
【発明の詳細な説明】
【技術分野】
【０００１】
本発明は、両腕、肩及び首を覆って、日除けするカバーに関する。
【背景技術】
【０００２】
従来、長時間屋外で日射を受けながら作業等をする場合には、日除けなどの目的で種々の覆いが用いられてきた。例えば、特許文献１及び特許文献２には、両腕、肩及び首の後ろを同時に覆い、一体に形成された日除け用のカバーが記載されている。このように一体に形成された日除け用のカバーは、すでに市販されている。
【０００３】
【特許文献１】特開２００１−１５９０１０号公報
【特許文献２】実開平４−８４３１８号公報
【発明の開示】
【発明が解決しようとする課題】
【０００４】
一体に形成された日除け用のカバーには、持ち運びや装着のときに扱いがしやすいという利点がある。ところが、特に洗濯物を干すなどの作業や庭仕事、畑仕事などの作業をする場合には、水に濡れたり、大量に汗をかいたり、泥水で汚れたりすることもある。該作業の場合には日除け効果だけでなく、さらに汗取りとしての役割を備えているものが望まれる。しかし、上記一体に形成されたカバーは、日除けが主目的であり、薄手の織布でつくられるため、該作業をするには汗取りの面で十分とはいえない。
【０００５】
そこで、本発明の第一の目的は、構造が簡単で安価に製造でき、両腕、肩及び首の後ろを同時に覆うことができ、日除け効果があるだけでなく、吸汗性に優れる日除け汗取りカバーを提供することにある。
本発明の第二の目的は、該日除け汗取りカバーにおいて、同時に首の両脇部分も覆って、より高い日除け効果を発揮させることにある。
本発明の第三の目的は、該日除け汗取りカバーにおいて、ずれ防止機能を向上させることにある。
【課題を解決するための手段】
【０００６】
上記課題を解決するために、本発明の日除け汗取りカバーは、パイル状タオル地よりなる２枚のタオルがそれぞれのタオル長方向の一端である基端辺の一側端側どうしで縫合されて連結され、該基端辺の他側端側に非縫合部が残されており、前記２枚のタオルのそれぞれのタオル長方向の他端である先端辺から中央部までが幅方向の側辺どうしで縫合された筒状部に形成され、両筒状部の間が前記非縫合部を含む平状部であり、該平状部のうち前記非縫合部に臨む両部位がタオル長方向に開くことができる可開部となっていることを特徴とする。
【０００７】
本発明に用いるタオルは、パイル状タオル地よりなるもので、特に限定されないが、長方形状で長さが７０〜１００ｃｍ、幅が３０〜４０ｃｍのものが好ましい。それは、この範囲が（二枚連結したときに）、多くの人の体格に適した寸法だからである。また、この範囲のタオルは一般的に多く市販されているため好都合である。パイル状タオル地には、両面がパイル状のものだけでなく、片面のみがパイル状のものも含む。
【０００８】
上記日除け汗取りカバーにおいて、前記両可開部を前襟として首の両脇から身体の前側に出すことができるよう、前記非縫合部の長さを１５ｃｍ以上とするとよい。より好ましくは、前記非縫合部の長さを２０ｃｍ以上とするとよい。この場合には、首の両脇部分も覆うことができるため、より高い日除け効果を発揮する。ただし、基端辺の縫合部が短すぎると、後襟部で十分に首の後ろを覆えなくなるので、縫合部の長さを５ｃｍ以上確保するのが好ましい。
【０００９】
上記日除け汗取りカバーにおいて、前記両可開部に、該両可開部を前襟としたときに該両可開部どうしを結合して止めるための結合部材を設けることができる。カバーが首の周りにしっかり密着して止められるため、カバーのずれ防止機能を向上させることができる。結合部材は、特に限定されないが、ボタン、スナップボタン、ホックなどを例示できる。
【００１０】
本発明の日除け汗取りカバーの装着時に、締付ゴム部材によるカバーのずれ防止対策として以下の態様が例示できる。
（ア）前記両筒状部のうち先端から手の甲に対応する部位を超えて入り込んだ手首に対応する部位に、該部位を周状に締め付けるための締付ゴム部材を取り付けたもの。
（イ）前記両筒状部のうち肘の直ぐ上又は下に対応する部位に、該部位を周状に締め付けるための締付ゴム部材を取り付けたもの。
（ウ）上記（ア）と上記（イ）に示される両方の部位に、該部位を周状に締め付けるための締付ゴム部材を取り付けたもの。
【００１１】
前記両筒状部のうち先端から手の甲に対応する部位を超えて入り込んだ手首に対応する部位は、数値で示せば、タオルの先端辺から８〜１３ｃｍの部位が適する。これは、筒状部の先端に手の甲を覆うのに適した長さを確保するためである。
【００１２】
上記したいずれの日除けカバーにおいても、前記両筒状部又は前記平状部に、身体を冷やすための保冷材又は身体を温めるための懐炉を着脱可能に保持するための保持部を設けるとよい。保冷材としては、樹脂シートに融解熱の大きな材料を密封したものを例示でき、懐炉としては、使い捨て懐炉、給油式懐炉等を例示できる。保持部を設ける部位としては、首、肩又は腕の各々に対応する部位を例示でき、体感上の効果が大きい点で、首の後ろに対応する部位が好ましい。また、保持部としては、特に限定されないが、カバーに縫い付けたポケットや、カバーに周縁部を面ファスナで取り付けられるようにした押え布を例示できる。
【００１３】
この保持部に保冷材を保持することで、暑い日でも体を冷やすことができ、作業等による発汗を抑えることができる。また、この保持部に懐炉を保持することで、過度な冷房のため寒い時には身体を温めることができる。
【００１４】
本発明の日除け汗取りカバーの製造方法は、パイル状タオル地よりなる２枚のタオルをそれぞれのタオル長方向の一端である基端辺の一側端側どうしで縫合して連結し、該基端辺の他側端側に非縫合部を残す工程と、前記２枚のタオルのそれぞれのタオル長方向の他端である先端辺から中央部までを幅方向の側辺どうしで縫合して筒状部に形成する工程とを含むことを特徴とする。ただし、両工程を行う順序は特に限定されない。
【発明の効果】
【００１５】
請求項１記載の発明によれば、両腕、肩及び首の後ろを同時に覆うことができる日除け汗取りカバーをタオル二枚を縫合することによりつくるため、構造が簡単で安価に製造でき、日除け効果があるだけでなく、吸汗性に優れる。
請求項２記載の発明によれば、上記効果に加え、両可開部を前襟として首の両脇から身体の前側に出すことにより、首の両脇部分も覆うことができ、より高い日除け効果及び吸汗効果を発揮させることができる。さらに、請求項３記載の発明によれば、カバーが首の周りにしっかり密着して止められるため、カバーのずれ防止機能を向上させることができる。
また、請求項４又は５記載の発明によれば、上記効果に加え、腕などにカバーがしっかり締め付けるられるため、カバーのずれ防止機能を向上させることができる。
請求項６記載の発明によれば、上記効果に加え、身体を冷やし発汗を抑えるための保冷材又は身体を温めるための懐炉を、保持部により着脱可能に保持できる。
請求項７記載の発明によれば、上記効果を奏する日除け汗取りカバーを容易に製造することができる。
【発明を実施するための最良の形態】
【００１６】
本発明の日除け汗取りカバー１は、パイル状タオル地よりなる２枚のタオル７がそれぞれのタオル長方向の一端である基端辺２ｂの一側端側どうしで縫合されて連結され、基端辺２ｂの他側端側に非縫合部５が残されている。前記２枚のタオル７のそれぞれのタオル長方向の他端である先端辺２ａから中央部４までが幅方向の側辺３どうしで縫合された筒状部１０に形成されている。
【００１７】
両筒状部の間は非縫合部５を含む平状部２０であり、平状部２０のうち非縫合部５に臨む両部位がタオル長方向に開くことができる可開部２２となっている。
また、両可開部２２を前襟として首の両脇から身体の前側に出すことができるよう、非縫合部５の長さを１５ｃｍ以上としている。
【実施例１】
【００１８】
図１〜図５は本発明の一実施形態を示す。本実施例１の日除け汗取りカバー１は、図１に示すように、両腕及び手の甲を覆う二つの筒状部１０と、両筒状部１０の間にあって腕の一部、肩及び首を覆う平状部２０とを備えている。より詳しくは、この日除け汗取りカバー１は、二枚のタオル７の長方向の一端である基端辺２ｂの一側端側どうしを縫合（破線で示す）して作られている。このタオル７は、図２（ａ）に示すように、パイル状タオル地よりなる長方形状のもので、フェイスタオル（長さ８２〜８８ｃｍ、幅３２〜３６ｃｍ）を用いている。
【００１９】
筒状部１０は、タオル７の幅方向の側辺３どうしを縫合（破線で示す）して形成される。本実施例において、筒状部１０の長さは約３５ｃｍである。この筒状部１０は、手の甲を覆う覆手部１１と、腕の一部を覆う覆腕部１２とから構成されている。覆手部１１は、筒状部の先端辺２ａから８〜１２ｃｍの部分であり、覆腕部１２は、筒状部１０のうち覆手部１１を除いた部分である。また、覆手部１１と覆腕部１２との間には、ずれ防止に用いるゴムを通すゴム通し穴をつくるためのゴム取付部が縫い付けられている。このゴム取付部６は、幅１〜３ｃｍの布をタオル７の幅方向に縫い付けたものである。
【００２０】
平状部２０は、長さが約５０ｃｍであり、腕の一部、肩及び首周りを覆う部分である。また、この平状部２０と筒状部１０との境目も、同じようにゴム取付部６が縫い付けられている。また、図２（ｃ）に示すように、タオル７に基端辺２ｂどうしの非縫合部５を約２３ｃｍ設けることにより、平状部２０には、後襟部２１と可開部２２とが形成されている。
【００２１】
本実施例の日除け汗取りカバーの製造方法を工程順に説明する。
第一工程として、上述した長方形のタオル二枚に、図２（ａ）に示すように、ゴム取付部６を二枚のタオル７に各々二つずつ取り付ける。
第二工程として、タオル７の先端辺２ａから中央部４までの部分を、図２（ｂ）に示すように、タオル７の幅方向の側辺３を縫合した筒状部１０に形成する。
第三工程として、前記二枚のタオル７の長方向の一端ある基端辺２ｂを、図２（ｃ）に示すように、一定長さ５を残して縫合し、縫合した部分周辺である後襟部２１と、端の縫合しない部分である可開部２２とを形成する。
第四工程として、ゴム取付部６にゴムを通して環状に止める。
以上の工程に従い本発明を実施すれば、ゴム取付部６やゴムなどを取り付ける際に手間が少なくてすむ等の理由により、日除け汗取りカバーを効率的に製造することができる。
【００２２】
本実施例の日除け汗取りカバー１の使用方法としては以下のものが例示できる。
（ｉ）図３に示すように、後襟部２１で首の後ろ部分を覆い、可開部２２を前襟として首の両脇から前に出した使用方法。この方法で使用すれば、首の両脇部分も覆うことができるため、より高い日除け効果を発揮する。
また、この方法で使用する場合の変更例として、図５に示すように、前襟が重ね合わさる部分にスナップボタン８などを取り付けるというものがある。この変更例によれば、カバーが首の周りにしっかり固定して止められるため、カバーのずれ防止機能を向上させることができる。
【００２３】
（ii）図４に示すように、後襟部２１で首の後ろ部分を覆い、可開部２２を肩から背中へ下ろした使用方法。この方法で使用すれば、可開部２２が自由に開閉できるため、カバーの装着時における腕を大きく動かす作業もしやすくなる。
また、上記（ｉ）、（ii）のいずれの使用方法においても、覆手部１１のうち手の平側１１ａだけを内側に丸めて入れ込んでいるため、覆手部１１のうち手の甲側１１ｂはしっかりと手の甲を日射から守りつつ、手の平は自由に作業ができる。
【００２４】
本実施例の日除け汗取りカバー１によれば、両腕、肩及び首の後ろを同時に覆う日除け汗取りカバーをタオル二枚を縫合することによりつくるため、構造が簡単で安価に製造でき、吸汗性に優れかつ手軽で安価な日除け汗取りカバーを提供できる。さらに、二枚のタオル７を縫合する際に、縫合しない部分で可開部２２を設けているので、カバーの装着時の使い勝手がよい。
【００２５】
また、この日除け汗取りカバー１は、上記のとおり、日射のある場所や汗をかく暑い場所で使用するのが本来の目的であるが、逆に、例えば冷房の効いた涼しい場所で首から腕までが冷えすぎないようにするために、上記と同様に着用して使用することもできる。
【００２６】
次に、本実施例の変更例を図６（ａ）〜（ｃ）に示す。この変更例では、上記カバーの両筒状部１０又は前記平状部２０に、身体を冷やすための保冷材２４又は身体を温めるための懐炉２４を着脱可能に保持するための保持部２３を設けている。詳しくは、平状部２０の内側の首の後ろに対応する部位に、長方形状で伸縮性のある布（例えば、長さ１４〜１６ｃｍ、幅６〜８ｃｍ）を、タオル長方向に長くかつ長方形４端辺のうち布の長方向の一端辺を残して縫い付け、ポケット状の保持部２３を設けている。図６（ｃ）では、その中に保冷材２４又は使い捨て懐炉２４を入れた様子が示されている。ポケットの口がタオル長方向を向いており、かつ、布が伸縮性をもっているため、作業中等に保冷材２４又は使い捨て懐炉２４が抜け落ちにくくなっている。
【００２７】
この変更例の日除け汗取りカバー１によれば、身体を冷やし発汗を抑えるための保冷材２４又は上記のように涼しい場所で身体を温める使い捨て懐炉２４を、保持部２３に着脱可能に保持できる。
【００２８】
次に、本発明とは別発明に係る例について説明する。この別例は、両腕、肩及び首の後ろを同時に覆う日除けカバーに関するものである。
【００２９】
従来、長時間屋外で日射を受けながら作業等をする場合には、日除けなどの目的でアームカバーが用いられてきた。従来のカバーでは、着装して作業するときにカバーがずれ落ちるのを防止するために、カバーの材料自体に伸縮性のある材料を用いて体にしっかり密着させる方法が知られている。ところが、従来のものはカバー全体に伸縮性を持たせていたため、ずれ防止の機能の実現に多くのコストが必要であった。この例は、カバーのずれ防止の機能を低コストで実現することを目的としたものである。
【００３０】
この例は、両腕及び手を覆う筒状部と肩及び首の後ろを覆う後襟部とを備えた日除けカバーの前記後襟部に、該後襟部を長方向に縮ませるための収縮部材を取り付けたことを特徴とする。前記収縮部材には、布を用いることがでる。この布は、後襟部を予め縮ませた状態で取り付けられる。このように、収縮部材が後襟部を長方向に縮ませているため、該後襟部が肩に引っかかり、後襟部が首からずれ落ちるのを防止することができる。
【００３１】
また、前記収縮部材には、ゴムその他の伸縮性のある材料を用いることができる。ゴムその他の伸縮性のある材料は、後襟部を予め縮ませた状態で取り付けられる。図７（ａ）〜（ｃ）はこの例の一形態を示している。この例の日除けカバー５０は、筒状に形成され腕及び手を覆う筒状部６０と、二つの筒状部６０の間にあって腕の一部、肩及び首の後ろを覆う平状部７０とを備え構成される。このカバーの材料には長方形状の布が用いられる。この布は、この例においては、長さが１５０〜１７０ｃｍ、幅は３０〜４０ｃｍのものが用いられる。なお、使用する人の体格に合わせて、材料となる布の長さや幅を自由に変更してもよい。
【００３２】
筒状部６０は、布の幅方向の側辺５１を縫合して形成される。この筒状部６０には、手を覆う覆手部６１と、腕の一部を覆う覆腕部６２とが形成されており、両者の境目には上記と同じゴム取付部５２が縫い付けられ、ゴムが取り付けられている。このゴムは該カバーの手首に対応する部位を周状に締め付けている。平状部７０は、該カバーのうち筒状部以外の部分である。平状部のうち首の後ろに対応する部分である後襟部７１には、カバー長方向に１５〜２５ｃｍのゴム取付部８０が縫い付けられており、その中には後襟部７１を予め縮ませた状態で、ゴム取付部８０より短いゴム８１が取り付けられている。
【００３３】
図７（ｂ）及び（ｃ）は、この日除けカバー５０の使用例が示されている。図７（ｃ）に示すように、後襟部７１にカバー長方向に伸びるゴム８１を取り付けた場合には、この日除けカバー５０を装着して作業するときに、収縮部材としてはたらくゴム８１が後襟部７１を長方向に縮ませているため、該後襟部７１が肩に引っかかり、後襟部７１が首からずれ落ちるのを防止することができる。また、ゴム８１の伸縮性により、このカバーを装着しているときに、後襟部７１がある程度自由に伸縮するため、作業がしやすい。さらに、覆手部６１の手の平側を内側に入れ込むことで、手の平を使う作業の邪魔にならずに手の甲側のみを日除けできる。以上により、この例によれば、日除けカバーのずれ防止の機能を、従来のカバーの材料自体の変更に比べて低コストで実現できる。
【００３４】
なお、本発明は前記実施例に限定されるものではなく、発明の趣旨から逸脱しない範囲で適宜変更して具体化することもできる。
【図面の簡単な説明】
【００３５】
【図１】本発明の実施例の日除け汗取りカバーを示す全体正面図である。
【図２】同実施例の製造工程を示す正面図である。
【図３】同実施例の使用例を示す（ａ）は正面図、（ｂ）は背面図である。
【図４】同実施例の使用例を示す（ａ）は正面図、（ｂ）は背面図である。
【図５】同実施例の変更例を示す（ａ）は正面図、（ｂ）は背面図である。（ｃ）はこの変更例の使用例を示す正面図である。
【図６】同実施例の変更例を示す（ａ）は正面図、（ｂ）は背面図である。（ｃ）はこの変更例の使用例を示す背面図である。
【図７】（ａ）は別発明の実施例を示す正面図である。（ｂ）は別発明の実施例の使用例を示す正面図、（ｃ）は別発明の実施例の使用例を示す背面図である。
【符号の説明】
【００３６】
１    日除け汗取りカバー
２ａ  先端辺
２ｂ  基端辺
３    側辺
４    中央部
１０    筒状部
２０    平状部
２２    可開部
２３    保持部
２４    保冷材（懐炉）
【図１】
2008063670.tif 000003
【図２】
2008063670.tif 000004
【図３】
2008063670.tif 000005
【図４】
2008063670.tif 000006
【図５】
2008063670.tif 000007
【図６】
2008063670.tif 000008
【図７】
2008063670.tif 000009